(57)【要約】【課題】電線を速結端子に対して容易に接続することができる開閉器を提供する。【解決手段】開閉器１は、器体７と速結端子２と端子３００と接点部２００とガイド部材６とを備える。器体７は、外部の構造体１００に固定される固定面７８を有する。接点部２００は、器体７内において速結端子２及び端子３００間の電路に設けられ、速結端子２及び端子３００を電気的に接続及び遮断する。ガイド部材６は、電線１０４の挿入方向において、器体７の挿入孔７７及び速結端子２の錠ばね４間に配置される。ガイド部材６は、一方向に貫通して挿入孔７７から挿入された電線１０４を通すガイド孔６１を有する。ガイド孔６１の上記一方向は、錠ばね４に近づくほど固定面７８に近づく方向に固定面７８に対して傾斜している。【選択図】図１
2017224534.tif 000002
【特許請求の範囲】
【請求項１】
電線が挿入される挿入孔と、外部の構造体に固定される固定面とを有する器体と、
端子部と、前記端子部の一表面と対向して配置される対向部と、前記端子部の前記一表面と対向して配置されて前記電線の前記挿入孔側への移動を規制し前記電線を前記端子部の前記一表面に接触させる錠ばねと、前記端子部と前記対向部とを連結して前記端子部及び前記対向部とともに前記錠ばねを収納する収納空間を形成する側壁部と、を有し、前記器体に収納される速結端子と、
端子と、
前記器体内において前記速結端子及び前記端子間の電路に設けられ、前記速結端子及び前記端子を電気的に接続及び遮断する接点部と、
前記電線の挿入方向において前記挿入孔及び前記錠ばね間に配置されるガイド部材と、
を備え、
前記ガイド部材は、一方向に貫通して前記挿入孔から挿入された前記電線を通すガイド孔を有し、
前記ガイド孔の前記一方向は、前記錠ばねに近づくほど前記固定面に近づく方向に前記固定面に対して傾斜している
ことを特徴とする開閉器。
【請求項２】
前記錠ばねは、前記電線に引掛かかることで前記移動を規制する抜止部を有し、
前記ガイド部材は、前記挿入孔側から前記抜止部を押し付ける押付部を備え、
前記押付部は、前記端子部、前記対向部及び前記側壁部とともに前記収納空間を形成する
ことを特徴とする請求項１記載の開閉器。
【請求項３】
前記ガイド部材は、前記ガイド孔の内周面の一部に平坦なガイド面を有し、前記ガイド孔の前記一方向に沿って視たときに前記ガイド面が前記側壁部と対向するように配置されている
ことを特徴とする請求項１又は２に記載の開閉器。
【請求項４】
前記端子部は、前記ガイド部材の周縁部の少なくとも一部と接触して、前記器体に対する前記ガイド部材の位置決めを行う位置決め部を備える
ことを特徴とする請求項１〜３のいずれか１項に記載の開閉器。
【請求項５】
前記器体は、通電検査用の検査孔を有し、
前記位置決め部の少なくとも一部は、前記検査孔を通じて前記器体の外部に露出する
ことを特徴とする請求項４記載の開閉器。
【請求項６】
更に、前記器体内に収納されて前記移動の規制を解除する解除機構と、前記移動の規制の解除操作を行うための操作部と、を有した解除部を備え、
前記器体は、前記固定面を有するボディと、前記固定面と対向する一面に開口部を有するカバーとから構成され、
前記操作部は、前記開口部を通じて前記器体の外部に突出する
ことを特徴とする請求項１〜５のいずれか１項に記載の開閉器。
【請求項７】
前記ボディと前記カバーとは、互いに前記固定面に対して垂直方向に結合するように構成されている
ことを特徴とする請求項６記載の開閉器。
【発明の詳細な説明】
【技術分野】
【０００１】
本発明は、一般に開閉器に関し、より詳細には速結端子を備えた開閉器に関する。
【背景技術】
【０００２】
従来、過電流等の異常電流が流れたときに強制開極する遮断要素を器体の内部に備えた回路遮断器（開閉器）が知られている（例えば特許文献１参照）。特許文献１に記載の回路遮断器は、器体の内部に、電線を遮断要素に接続する速結端子を更に備えている。器体は、電線が挿入されるための挿入孔と、例えば住戸内の壁面に設置される分電盤（外部の構造体）に取り付けられる背面（固定面）と、を有する。特許文献１に記載の回路遮断器では、電線が器体の挿入孔を通じて挿入され、速結端子に接続される。
【先行技術文献】
【特許文献】
【０００３】
【特許文献１】特開２０００−１３８０２４号公報
【発明の概要】
【発明が解決しようとする課題】
【０００４】
特許文献１に記載の回路遮断器では、電線の挿入方向が、背面（固定面）に対して平行方向である。そのため、作業者にとって電線を回路遮断器の速結端子に接続し難いという問題があった。
【０００５】
本発明は上記事由に鑑みてなされ、電線を速結端子に対して容易に接続することができる開閉器を提供することを目的とする。
【課題を解決するための手段】
【０００６】
本発明の一態様に係る開閉器は、器体と、速結端子と、端子と、接点部と、ガイド部材と、を備える。前記器体は、電線が挿入される挿入孔と、外部の構造体に固定される固定面とを有する。前記速結端子は、端子部と、対向部と、錠ばねと、側壁部と、を有し、前記器体に収納される。前記対向部は、前記端子部の一表面と対向して配置される。前記錠ばねは、前記端子部の前記一表面と対向して配置されて前記電線の前記挿入孔側への移動を規制し前記電線を前記端子部の前記一表面に接触させる。前記側壁部は、前記端子部と前記対向部とを連結して前記端子部及び前記対向部とともに前記錠ばねを収納する収納空間を形成する。前記接点部は、前記器体内において前記速結端子及び前記端子間の電路に設けられ、前記速結端子及び前記端子を電気的に接続及び遮断する。前記ガイド部材は、前記電線の挿入方向において前記挿入孔及び前記錠ばね間に配置される。前記ガイド部材は、一方向に貫通して前記挿入孔から挿入された前記電線を通すガイド孔を有する。前記ガイド孔の前記一方向は、前記錠ばねに近づくほど前記固定面に近づく方向に前記固定面に対して傾斜している。
【発明の効果】
【０００７】
本発明は、電線を速結端子に対して容易に接続することができる、という利点がある。
【図面の簡単な説明】
【０００８】
【図１】図１は、本発明の実施形態に係る開閉器の要部のみを断面で示した部分断面図であり、図５のＡ−Ａ線断面図である。
【図２】図２は、同上の開閉器の斜視図である。
【図３】図３は、同上の開閉器の分解斜視図である。
【図４】図４Ａは、同上の開閉器のガイド部材及び端子板を貫通方向に沿って視たときの正面図であり、図４Ｂは、同上の開閉器のガイド部材及び端子板の断面図である。
【図５】図５は、同上の開閉器の平面図である。
【発明を実施するための形態】
【０００９】
（実施形態）
（１）概要
以下の実施形態において説明する各図は、模式的な図であり、図１〜５中の各構成要素の大きさや厚さそれぞれの比が、必ずしも実際の寸法比を反映しているとは限らない。
【００１０】
本実施形態の開閉器１（以下、単に「開閉器１」という）は、例えば直流電流が流れる電路に設けられた接点部の開極及び閉極を行うように構成される。
【００１１】
開閉器１は、図１に示すように、器体７と、速結端子２と、端子３００と、接点部２００と、ガイド部材６と、を備える。器体７は、電線１０４が挿入される挿入孔７７と、外部の構造体１００に固定される固定面７８とを有する。ここでいう構造体１００は、例えば住戸内の壁面、又は住戸内の壁面に取り付けられる分電盤を想定しているが、これらに限定されるものではない。
【００１２】
速結端子２は、端子部３１と、対向部３３と、錠ばね４と、側壁部３２と、を有し、器体７に収納される。対向部３３は、端子部３１の一表面３１ａと対向して配置される。錠ばね４は、端子部３１の一表面３１ａと対向して配置されて電線１０４の挿入孔７７側への移動を規制し電線１０４を端子部３１の一表面３１ａに接触させる。側壁部３２は、端子部３１と対向部３３とを連結して端子部３１及び対向部３３とともに錠ばね４を収納する収納空間を形成する。なお、本実施形態では、端子部３１、対向部３３及び側壁部３２が端子板３を構成する。本実施形態では、端子部３１、対向部３３及び側壁部３２は、導電性を有する部材から一体的に形成されている。すなわち、端子板３は、導電性を有する。
【００１３】
接点部２００は、器体７内において速結端子２及び端子３００間の電路に設けられ、速結端子２及び端子３００を電気的に接続及び遮断する。つまり、接点部２００の閉極により、速結端子２及び端子３００が電気的に接続され、接点部２００の開極により、速結端子２及び端子３００が電気的に遮断される。
【００１４】
ガイド部材６は、電線１０４の挿入方向において挿入孔７７及び錠ばね４間に配置される。ガイド部材６は、一方向に貫通して挿入孔７７から挿入された電線１０４を通すガイド孔６１を有する。なお、以下では、上記一方向を貫通方向Ｄ１（図１参照）と称して説明する。ガイド孔６１の貫通方向Ｄ１は、錠ばね４に近づくほど固定面７８に近づく方向に固定面７８に対して傾斜している。
【００１５】
なお、本実施形態では、図３に示すように、開閉器１は、速結端子２及びガイド部材６をそれぞれ２つずつ備え、器体７は、２つの速結端子２とそれぞれ対応するように２つの挿入孔７７を有している。また、図３では図示が省略されているが、端子３００及び接点部２００も同様にそれぞれ２つずつ備えている。ただし、これらの数は特に限定されるものではなく、開閉器１は、速結端子２、ガイド部材６、挿入孔７７、端子３００及び接点部２００をそれぞれ１つずつ備えていてもよいし、３つずつ以上備えていてもよい。
【００１６】
また、電線１０４が、図１に示すように、導体からなる心線が絶縁被覆で覆われた絶縁電線である場合、絶縁被覆が剥かれた電線１０４の先端部、つまり心線（導電部１０５）のみが、ガイド孔６１の出口から速結端子２に向かって導出される。電線１０４は、心線が１本の導体からなる単線と、心線が複数本の導線からなる撚り線とのいずれであってもよい。
【００１７】
（２）詳細
（２．１）基本構成
以下、開閉器１の基本構成について、図１〜図５を参照して詳しく説明する。
【００１８】
以下の説明では、図２に示すｘ，ｙ，ｚをそれぞれ指す矢印の方向をそれぞれ、ｘ軸方向の一方向、ｙ軸方向の一方向、ｚ軸方向の一方向と規定して説明する。ｚ軸方向は、開閉器１の固定面７８に対する垂直方向と平行である。ｙ軸方向は、ｚ軸方向に沿って視たときの後述する解除部５の操作部５２の移動方向と平行である。ｙ軸方向及びｚ軸方向は、ｘ軸方向と直交する平面において互いに直交する。
【００１９】
開閉器１は、図３に示すように、器体７と、２つの速結端子２と、２つの解除部５と、２つのガイド部材６と、操作ハンドル１０１と、を備える。また、開閉器１は、２つの端子３００（図５参照）と、２つの接点部２００（図１参照、ただし、図示例では１つのみ）と、を備える。また、開閉器１は、過電流等の異常電流が電路に流れたときに接点部２００を強制的に開極させる回路遮断機能を有している。
【００２０】
２つの速結端子２のうちの一方（第１速結端子）、２つの接点部２００のうちの一方（第１接点部）及び２つの端子３００のうちの一方（第１端子）は、ｚ軸方向から視て、ｙ軸方向に沿って略一直線状に配置される。第１接点部２００は、第１速結端子２及び第１端子３００間の第１電路に設けられている。第１電路は、器体７のｘ軸方向に対する中心部よりもｘ軸方向の一方向側に位置する。そして、２つの解除部５のうちの一方（第１解除部）及び２つのガイド部材６のうちの一方（第１ガイド部材）が、第１電路に対応するように配置される。
【００２１】
同様に、２つの速結端子２のうちの他方（第２速結端子）、２つの接点部２００のうちの他方（第２接点部）及び２つの端子３００のうちの他方（第２端子）は、ｚ軸方向から視て、ｙ軸方向に沿って略一直線状に配置される。第２接点部２００は、第２速結端子２及び第２端子３００間の第２電路に設けられている。第２電路は、器体７のｘ軸方向に対する中心部よりもｘ軸方向の逆方向側に位置する。そして、２つの解除部５のうちの他方（第２解除部）及び２つのガイド部材６のうちの他方（第２ガイド部材）が、第２電路に対応するように配置される。
【００２２】
つまり、開閉器１においては、ｙ軸方向に沿う２つの第１及び第２電路が、互いにｘ軸方向に沿って並んでいる。なお、第１速結端子２、第１接点部２００、第１端子３００、第１解除部５及び第１ガイド部材６は、構造的に、第２速結端子２、第２接点部２００、第２端子３００、第２解除部５及び第２ガイド部材６と、それぞれ同じである。したがって、以下では説明の簡略化のために、単に速結端子２、接点部２００、端子３００、解除部５及びガイド部材６と称して、いずれか一方（例えば第１電路）についてのみ説明することもある。なお、図１では、第１電路のみが図示されている。
【００２３】
（２．２）器体
器体７は、図２に示すように、全体として略矩形箱状に形成されており、ボディ７１とカバー７０とからなる。器体７は、第１及び第２速結端子２、第１及び第２接点部２００及び第１及び第２ガイド部材６を内部に収納する。また、器体７は、後述する解除部５の解除機構を内部に収納する。
【００２４】
ボディ７１は、例えば、電気絶縁材料（合成樹脂等）により構成されている。ボディ７１の平面視における外周形状は、図５に示すように、長方形状である。ボディ７１は、ｚ軸の逆方向側を向く固定面７８（図１参照）を有する。固定面７８は、開閉器１を外部の構造体１００に固定する際に、構造体１００と接触する面である。ボディ７１の底部７１１には、第１及び第２速結端子２、第１及び第２端子３００がそれぞれねじ止めなどにより固定される。カバー７０は、例えば、電気絶縁性材料（合成樹脂等）により構成されている。カバー７０の平面視における外周形状は長方形状である。
【００２５】
また、器体７は、図２に示すように、第１及び第２速結端子２に接続される２本の電線１０４の導電部１０５をそれぞれ通す２つの第１及び第２挿入孔７７を有する。具体的には、器体７におけるｙ軸方向の一方向側を向く面は、ｚ軸方向に対する中心からｚ軸方向の一方向側に向かうほど器体７の中心側に近づく方向に傾斜した傾斜面７９（図２参照）を有する。その傾斜面７９に第１及び第２挿入孔７７が器体７の内部にまで一方向に沿って貫通して設けられている。なお、上記一方向は、後述するガイド部材６のガイド孔６１の貫通方向Ｄ１と一致する（図１参照）。
【００２６】
本実施形態では、ボディ７１に設けられた２つの半円形状の凹部と、カバー７０に設けられた２つの半円形状の凹部とが互いに向い合った状態で、ボディ７１とカバー７０とが結合することで、第１及び第２挿入孔７７が構成されている。第１及び第２挿入孔７７は、ｘ軸方向に沿って並んでいる。なお、第１挿入孔７７は、構造的に第２挿入孔７７と同じであるため、説明の簡略化のために単に挿入孔７７と称していずれか一方（例えば第１挿入孔）についてのみ説明することもある。
【００２７】
また、器体７は、第１及び第２端子３００に接続される外部電線などを通す２つの第１及び第２挿入孔７１２を有する（図１参照、ただし、図示例では第１挿入孔７１２のみ）。具体的には、器体７におけるｙ軸方向の逆方向側を向く面に、第１及び第２挿入孔７１２が器体７の内部にまで貫通して設けられている。第１及び第２挿入孔７１２は、ｘ軸方向に沿って並んでいる。
【００２８】
そして、第１挿入孔７７及び第１挿入孔７１２は、ｚ軸方向から視て、ｙ軸方向に沿って、第１速結端子２、第１接点部２００、第１端子３００、第１解除部５及び第１ガイド部材６とともに略一直線状に配置される。同様に、第２挿入孔７７及び第２挿入孔７１２は、ｚ軸方向から視て、ｙ軸方向に沿って、第２速結端子２、第２接点部２００、第２端子３００、第２解除部５及び第２ガイド部材６とともに略一直線状に配置される。
【００２９】
また、図２に示すように、カバー７０におけるｚ軸方向の一方向側を向く面（図２では上面）には、２つの開口部７２（第１及び第２開口部）と、孔７６と、が設けられている。具体的には、カバー７０は、ｙ軸方向に沿って順に配置された第１端面７０ａ及び第２端面７０ｂを有し、第１端面７０ａの中央に孔７６が設けられ、第２端面７０ｂに第１及び第２開口部７２がｘ軸方向に沿って並んで設けられている。なお、第１端面７０ａ及び第２端面７０ｂ間には段差があり、ｚ軸方向における固定面７８に対する距離は、第１端面７０ａの方が第２端面７０ｂよりも長い。第１及び第２開口部７２と孔７６とはいずれも、カバー７０をｚ軸方向に沿って貫通していて、ｚ軸方向から視たときに長手方向がｙ軸方向に沿う長方形状に形成されている。第１及び第２解除部５の２本の操作部５２は、第１及び第２開口部７２を通じてそれぞれ器体７の外部に突出している。また、操作ハンドル１０１は、孔７６を通じて器体７の外部に突出している。なお、第１開口部７２は、構造的に第２開口部７２と同じであるため、説明の簡略化のために単に開口部７２と称していずれか一方（例えば第１開口部）についてのみ説明することもある。
【００３０】
また、カバー７０の第２端面７０ｂには、図２に示すように、ｘ軸方向に沿って互いに並ぶ２つの通電検査用の検査孔８（第１及び第２検査孔）が設けられている。第１及び第２検査孔８は、カバー７０をｚ軸方向に沿って貫通していて、ｚ軸方向から視たときに長手方向がｘ軸方向に沿う長方形状に形成されている。第１検査孔８及び第１開口部７２は、ｙ軸方向に沿って互いに並び、いずれも、ｚ軸方向から視て器体７のｘ軸方向に対する中心部よりもｘ軸方向の一方向側に位置する。また、第１検査孔８は、第１開口部７２よりもｙ軸方向の一方向側に配置されている。第２検査孔８及び第２開口部７２は、ｙ軸方向に沿って互いに並び、いずれも、ｚ軸方向から視て器体７のｘ軸方向に対する中心部よりもｘ軸方向の逆方向側に位置する。第２検査孔８は、第２開口部７２よりもｙ軸方向の一方向側に配置されている。なお、第１検査孔８は、構造的に第２検査孔８と同じであるため、説明の簡略化のために単に検査孔８と称していずれか一方（例えば第１検査孔）についてのみ説明することもある。
【００３１】
（２．３）端子
端子３００は、図１に示すように、導電板３０１と、可動板３０２と、ねじ３０３とを有する。端子３００は、例えば、ピラー端子である。導電板３０１、可動板３０２及びねじ３０３は、導電性を有する。そして、例えば、図示を省略している外部電線を、導電板３０１と可動板３０２との間に挿入した状態でねじ３０３をねじ込むことにより、端子３００と当該外部電線とが接続される。
【００３２】
（２．４）接点部
接点部２００は、図１に示すように、固定接点２０２と、可動接点２０１と、を有する。固定接点２０２は、端子３００の導電板３０１に設けられている。可動接点２０１は、導電板２０３の一端に設けられており固定接点２０２に対向している。なお、導電板２０３の他端には、速結端子２が設けられている。
【００３３】
（２．５）操作ハンドル
操作ハンドル１０１は、図１及び図２に示すように、上述の通りカバー７０の孔７６から器体７の外部に突出し、ｙ軸方向の一方向側及びｙ軸方向の逆方向側に移動可能である。第１及び第２接点部２００は、操作ハンドル１０１の操作に応じて、オン状態（閉極）及びオフ状態（開極）のいずれかに切り替えられる。
【００３４】
（２．６）速結端子
各速結端子２は、図１及び図３に示すように、端子板３と、錠ばね４と、を備える。第１及び第２速結端子２は、ボディ７１の底部７１１に形成された２つの凹所７１３（図３参照）にそれぞれ一対一で収納される。以下の説明では、一方の端子板３と、当該端子板３に収納される一方の錠ばね４についてのみ説明する。
【００３５】
（２．６．１）端子板
端子板３は、例えば、導電性を有する矩形板に対して折曲げ加工等を施すことにより、全体として、挿入孔７７と対向する一面とｘ軸方向の一方向側を向く一面とが開口した略矩形箱状に形成されている。端子板３は、端子部３１と、側壁部３２と、対向部３３と、突出部３４と、規制部３５と、を備える。端子板３は、器体７の底部７１１において挿入孔７７の近傍に形成された凹所７１３内に収納される。凹所７１３の底面は固定面７８に対して傾斜しているため、収納された端子板３も傾斜した状態になる。
【００３６】
端子部３１は、略平坦な一表面３１ａを有する矩形板状に形成されている。端子板３が傾斜面を有した凹所７１３内に収納されることで、端子部３１の一表面３１ａは、ｚ軸方向の逆方向側、つまり固定面７８側に向けられながら、更にｘ軸方向に沿って視たときに固定面７８に対して傾斜している（図１参照）。言い換えると、端子部３１の一表面３１ａは、後述するガイド部材６のガイド孔６１の貫通方向Ｄ１と平行にある。
【００３７】
対向部３３は、端子部３１よりも少し大きい寸法を有した矩形板状に形成されている。対向部３３は、端子部３１の一表面３１ａと対向して配置される。端子部３１と対向する対向部３３の一表面は、端子部３１の一表面３１ａと互いに平行である。つまり、対向部３３の一表面もガイド孔６１の貫通方向Ｄ１と平行にある。対向部３３は、端子板３がボディ７１の凹所７１３内に収納された状態において、凹所７１３の内底面と接触する（図１参照）。
【００３８】
凹所７１３の内底面がｘ軸方向に沿って視たときに固定面７８に対して傾斜しているために、端子部３１の一表面３１ａと対向部３３の上記一表面も固定面７８に対して傾斜している。
【００３９】
突出部３４は、長尺の矩形板状に対して折曲げ加工を施すことにより、ｘ軸方向に沿って視て略Ｌ字形に形成されている。具体的には、突出部３４は、図１に示すように、対向部３３の一端から対向部３３と直角を成して端子部３１に向かって突出する基部３４ａと、更に、基部３４ａの先端部から接点部２００側に直角に曲折して延びる延長部３４ｂと、を有する。延長部３４ｂは、可動接点２０１を有する導電板２０３とともにネジ止めにより器体７の底部７１１に固定されている。基部３４ａは、端子板３がボディ７１の凹所７１３内に収納された状態において、凹所７１３の内側面と接触する（図１参照）。
【００４０】
側壁部３２は、略矩形板状に形成され、端子部３１と対向部３３とを連結し、端子部３１、対向部３３及び基部３４ａとともに、錠ばね４を収納する収納空間を形成する。
【００４１】
規制部３５は、略矩形板状に形成され、側壁部３２におけるｙ軸方向の逆方向側の端部に設けられている。規制部３５は、器体７の挿入孔７７の軸と交差する平面を有する。規制部３５は、器体７内に挿入された電線１０４の導電部１０５の先端部と接触することで、導電部１０５が端子板３より更に奥へ進入することを規制する。
【００４２】
ここで、本実施形態の端子部３１は、器体７に対するガイド部材６の位置決めを行う位置決め部３６を備える。位置決め部３６は、図１及び図３に示すように、挿入孔７７と対向する端子部３１の一端部から固定面７８に対して垂直な方向に突出し、更に、挿入孔７７側に向かって直角に曲折して延びる。つまり、位置決め部３６は、長尺の帯板状に形成されており、ｘ軸方向に沿って視て略Ｌ字形に形成されている。位置決め部３６は、その先端部に露出部３７を有する。露出部３７は、ｚ軸方向に沿って視て矩形状に形成されている。ｘ軸方向における露出部３７の幅寸法は、位置決め部３６の幅寸法よりも大きい。端子板３がガイド部材６とともに器体７に収納された状態において、位置決め部３６は、ガイド部材６の周縁部の少なくとも一部と接触している。
【００４３】
本実施形態では、位置決め部３６は、図１に示すように、ｙ軸方向の逆方向側を向くガイド部材６の一面におけるガイド孔６１の上縁からガイド部材６の天面（検査孔８と対向する面）にわたって沿うように接触している。そして、露出部３７が、ガイド部材６の天面の略中央部付近に配置する。このとき、露出部３７は、カバー７０の第２端面７０ｂにある検査孔８を通じて露出している（図５参照）。
【００４４】
（２．６．２）錠ばね
錠ばね４は、図１に示すように、帯板状の導電板における長手方向の一端及び他端をそれぞれ曲げることによって形成されている。具体的には、錠ばね４は、矩形平板状に形成された支持部４１と、支持部４１の一端（ガイド部材６と対向する一端）からＪ字状に曲げられて形成された抜止部４２と、支持部４１の他端からＳ字状に曲げられて形成された押圧部４３と、を備える。錠ばね４は、端子板３の端子部３１、側壁部３２、対向部３３及び基部３４ａによって形成される収納空間に収納される。
【００４５】
支持部４１は、抜止部４２及び押圧部４３を支持する。錠ばね４が端子板３に収納された状態のとき、支持部４１の一表面が対向部３３と接触している。
【００４６】
抜止部４２は、錠ばね４が端子板３に収納された状態のとき、ｙ軸方向の逆方向側に進むにつれて端子部３１の一表面３１ａに近づくように配置される。抜止部４２の先端部は、その弾性力によって、器体７内に挿入される電線１０４の導電部１０５に引掛かかることで、電線１０４の挿入孔７７側への移動を規制する。つまり、抜止部４２により、電線１０４が抜け止めされる。
【００４７】
押圧部４３は、図１に示すように、ｘ軸方向から視て支持部４１から直角に延びる一部を有しており、錠ばね４が端子板３に収納された状態のとき、当該一部の一表面が基部３４ａと接触している。押圧部４３は、その先端付近が緩やかに曲げられることで端子部３１に向かって突出する凸曲面を有する。押圧部４３の当該凸曲面は、その弾性力によって、器体７内に挿入される電線１０４の導電部１０５を端子板３の端子部３１に押し付ける。なお、押圧部４３は、必須ではなく錠ばね４の構成要素から省略されてもよい。
【００４８】
（２．７）解除部
解除部５は、図１及び図３に示すように、器体７内に収納されて錠ばね４の抜止部４２による電線１０４の挿入孔７７側への移動の規制を解除する解除機構と、当該移動の規制の解除操作を行うための操作部（レバー）５２と、を備える。各解除部５は、例えば、電気絶縁材料（合成樹脂等）によって形成されている。
【００４９】
上記解除機構は、本体５１と、接触部５４と、２つ軸部５５と、を備える。本体５１、接触部５４及び２つの軸部５５は、一つの成型品として一体的に形成されている。本体５１は、長尺の略直方体形状に形成されている。２つの軸部５５は、ｘ軸方向と直交する本体５１の両端面からそれぞれ外側に向かって（つまり、ｘ軸方向の一方向側とｘ軸方向の逆方向側とに向かって）突出する。２つの軸部５５は、同じ軸上に配置されている。カバー７０は、略半楕円形状に切り欠かれて形成された図示しない２つの凹所を有しており、２つの軸部５５は、当該２つの凹所にそれぞれｚ軸方向の一方向側に沿って挿入される。そして、軸部５５が当該凹所内に収納された状態で、ボディ７１の内壁の一部が軸部５５をｚ軸方向の一方向側に押さえ込むことで、本体５１がカバー７０及びボディ７１に支持される。
【００５０】
操作部５２は、本体５１と一体的に形成されており、開口部７２を通じて器体７の外部に突出する。操作部５２は、軸部５５を中心にｙ軸方向の一方向側及びｙ軸方向の逆方向側へ移動可能に構成される。
【００５１】
接触部５４は、本体５１のｘ軸方向における一端において、軸部５５よりもｚ軸方向の逆方向側の位置から速結端子２の錠ばね４に向かって略矩形板状に突出する。接触部５４は、錠ばね４の抜止部４２から離れている位置（図１参照）と、抜止部４２をｚ軸方向の逆方向側へ押し倒して抜止部４２の先端部を電線１０４の導電部１０５から離す位置と、の間で移動可能である。
【００５２】
操作部５２が図１の状態からｙ軸方向の一方向側へ移動されると、本体５１と一緒に接触部５４が軸部５５を中心に回転する。その結果、接触部５４が錠ばね４の抜止部４２をｚ軸方向の逆方向側に押し込み、電線１０４の挿入孔７７側への移動の規制が解除される。
【００５３】
（２．８）ガイド部材
ガイド部材６は、例えば、電気絶縁材料（合成樹脂等）により形成されて、図１に示すように、電線１０４の挿入方向において挿入孔７７及び錠ばね４間に配置される。ガイド部材６は、ボディ７１の底部７１１に形成された段部７１４（図１参照）に配置される。なお、ボディ７１の段部７１４及び凹所７１３は、ガイド部材６と速結端子２とを一体的に収納するための収納空間を形成している。
【００５４】
ガイド部材６は、図１、図３、図４Ａ及び図４Ｂに示すように、全体として略直方体形状に形成され、一方向（貫通方向Ｄ１、図１参照）に貫通して挿入孔７７から挿入された電線１０４を通すガイド孔６１を有する。言い換えると、ガイド孔６１は、挿入孔７７から錠ばね４に向かってガイド部材６を貫通している。ガイド孔６１は、貫通方向Ｄ１から視て円形状に形成されている。そして、ガイド部材６は、挿入孔７７に挿入された電線１０４の導電部１０５を、錠ばね４の抜止部４２と端子板３の端子部３１との間の空間に向かってガイドする。なお、図４Ａは、貫通方向Ｄ１に沿って視たときのガイド部材６及び端子板３を示している。
【００５５】
ここで本実施形態のガイド部材６は、図４Ａ及び図４Ｂに示すように、ガイド孔６１の内周面として、挿入孔７７側から順に連続する、第１内周面６３、第２内周面６４、第３内周面６５及び第４内周面６６を有する。
【００５６】
第１内周面６３において挿入孔７７に最も近い縁部の径（つまり、ガイド孔６１の入口の径）は、第２内周面６４、第３内周面６５及び第４内周面６６のいずれの径よりも大きい。第１内周面６３における貫通方向Ｄ１から視た径は、上記縁部から貫通方向Ｄ１に進むにつれて徐々に小さくなって第２内周面６４の径と一致する。要するに第１内周面６３は、テーパ状に形成されている。
【００５７】
第２内周面６４の径は、第１内周面６３との境目から第３内周面６５との境目に至るまで一定であり、絶縁被覆を含めた電線１０４の外径より少し大きい。
【００５８】
第３内周面６５の径は、第２内周面６４との境目から貫通方向Ｄ１に進むにつれて徐々に小さくなって第４内周面６６の径と一致する。要するに第３内周面６５は、テーパ状に形成されている。
【００５９】
第４内周面６６の径は、第３内周面６５との境目から速結端子２に最も近い縁部（つまり、ガイド孔６１の出口）に至るまで一定である。なお、第４内周面６６の径は、絶縁被覆を含めた電線１０４の外径より小さく、導電部１０５の外径よりも少し大きい。
【００６０】
つまり、ガイド孔６１の径は、貫通方向Ｄ１に進むにつれて段階的に小さくなるように形成されている。
【００６１】
更に、本実施形態のガイド部材６は、図４Ａに示すように、ガイド孔６１の内周面の一部に平坦なガイド面として、第１ガイド面６２及び第２ガイド面６７を有する。
【００６２】
具体的には、第１ガイド面６２は、曲面である第３内周面６５の周方向に対する一部が、第２内周面６４との境目から第４内周面６６との境目にわたって平坦となるように形成されている。ただし、第１ガイド面６２は、図４Ａに示すように、貫通方向Ｄ１に沿って視たときに、第３内周面６５において端子板３の側壁部３２の一表面と対向するように配置されている。また、第１ガイド面６２は、ｚ軸方向に沿って視たときに側壁部３２の上記一表面に対して傾斜している。
【００６３】
第２ガイド面６７は、曲面である第４内周面６６の周方向に対する一部が、第３内周面６５との境目からガイド孔６１の出口にわたって平坦となるように形成されている。第２ガイド面６７は、第３内周面６５の第１ガイド面６２から、貫通方向Ｄ１に沿って連続して形成されている。第２ガイド面６７は、図４Ａに示すように、貫通方向Ｄ１に沿って視たときに、第４内周面６６において側壁部３２の上記一表面と対向するように配置されている。第２ガイド面６７は、ｚ軸方向に沿って視たときに側壁部３２の上記一表面と平行である。つまり、第２ガイド面６７及び側壁部３２の上記一表面はいずれも、ｘ軸方向と直交する。
【００６４】
更に、本実施形態のガイド部材６は、図１、図３及び図４Ｂに示すように、挿入孔７７側から錠ばね４の抜止部４２を押し付ける押付部６０を備える。具体的には、ボディ７１の底部７１１と対向するガイド部材６の底部に、ｚ軸方向の逆方向側に向かって突出する突起６８が設けられている。突起６８は、ガイド部材６の上記底部のｙ軸方向における略中央から突出する。突起６８は、ｚ軸方向に沿って視て、長手方向がｘ軸方向に平行な長尺の矩形状に形成されている。そして、突起６８のｙ軸方向の逆方向側を向く面（つまり、錠ばね４の抜止部４２と対向する面）は、ｘ軸方向に沿って視たときに略円弧状に窪んだ曲面として形成されている。押付部６０は、突起６８の略円弧状に窪んだ当該曲面によって構成されている。当該曲面の曲率半径は、支持部４１からＪ字状に曲げられた抜止部４２の曲部の曲率半径と略同じである。
【００６５】
要するに、本実施形態では、錠ばね４が収納される収納空間は、端子部３１、側壁部３２、対向部３３及び基部３４ａに加えて、押付部６０よって形成されている。
【００６６】
なお、ガイド部材６が、速結端子２とともにボディ７１の段部７１４及び凹所７１３からなる収納空間に収納されているとき、突起６８は、ボディ７１の段部７１４に載せられている。このとき、錠ばね４が弾性力によりｙ軸方向の一方向側に突起６８を押し返しているため、ガイド部材６はｙ軸方向に対して安定してボディ７１の上記収納空間に収納される。
【００６７】
ところで、本実施形態では、図１に示すように、ガイド部材６の天面（検査孔８と対向する面）に対してガイド孔６１の貫通方向Ｄ１が傾斜している。言い換えれば、ガイド部材６の天面が固定面７８に対して平行な状態で、ガイド部材６が器体７内に収納される。しかし、このような構成に限定されず、例えば、ガイド孔６１の貫通方向Ｄ１とガイド部材６の天面とが平行であってもよい。この場合、ガイド部材６の天面が固定面７８に対して傾斜するように、ガイド部材６自体を傾かせた状態で器体７内に収納されることで、ガイド孔６１の貫通方向Ｄ１が固定面７８に対して傾斜していてもよい。
【００６８】
（３）縦割り構造
ところで、一般的に、所謂「横割り」の構造の器体を有している開閉器もある。ここで言う「横割り」構造とは、器体を構成する２つの部材（例えば第１カバー及び第２カバーと称する）が、解除部の操作部（レバー）の回転移動の軸方向、すなわち、解除部の軸部の軸方向に沿って結合される構造である。図２のｘ、ｙ、ｚ軸を用いて説明すれば、第１カバーと第２カバーとが、互いにｘ軸方向に沿って結合されている構造である。言い換えれば、第１カバーと第２カバーとが、固定面と平行な方向に結合するように構成されている。このような「横割り」構造を有する開閉器は、器体を構成する第１カバー及び第２カバー間に配置される中仕切り等の部材を必要とする。つまり、「横割り」構造を有する開閉器は、部材点数が多く、組立性も悪い。
【００６９】
一方、本実施形態の器体７のボディ７１及びカバー７０は、所謂「縦割り」の構造を有している。つまり、器体７を構成するボディ７１とカバー７０とが、固定面７８に対して垂直方向に結合するように構成されている。つまり、図２で言えば、ボディ７１とカバー７０とが、互いにｚ軸方向に沿って結合される構造である。
【００７０】
このように「縦割り」構造を有する開閉器１は、「横割り」構造を有する開閉器と違って中仕切り等の部材を必要とせず、部材点数が少ない。
【００７１】
また、「縦割り」構造を有する開閉器１は、組立時に、ガイド部材６及び速結端子２をボディ７１の底部７１１の収納空間（段部７１４及び凹所７１３）に収納した状態で、カバー７０をボディ７１に結合させることができる。したがって、開閉器１の構成によって、組立性を向上させることができる。
【００７２】
また、「縦割り」構造を有する開閉器１は、ボディ７１と対向するカバー７０、つまり、固定面７８と対向するカバー７０に開口部７２を設けて、開口部７２から解除部５の操作部５２を突出させることができる。そのため、作業者が、錠ばね４による電線１０４の移動規制を解除する際に、操作部５２を操作しやすい。したがって、開閉器１の構成によって、操作性も向上させることができる。
【００７３】
（４）電線の接続作業
以下に、作業者が、電線１０４の導電部１０５を一方の速結端子２（例えば第１速結端子）に電気的に接続する方法について、図１を参照して説明する。
【００７４】
作業者は、電線１０４の導電部１０５を、器体７の挿入孔７７の入口から挿入し、続いてガイド部材６のガイド孔６１に通して奥に押し込む。ガイド孔６１に通して奥に押し込まれた導電部１０５は、ガイド孔６１と対向する速結端子２の、錠ばね４と端子板３の端子部３１との間にある空間に入り込む。このとき、導電部１０５は、錠ばね４の抜止部４２と錠ばね４の押圧部４３とに接して、抜止部４２及び押圧部４３を、端子板３の端子部３１から遠ざかる方向に撓ませる。
【００７５】
電線１０４の挿入量が所定量に達すると、導電部１０５の先端部が規制部３５に接触する。つまり、規制部３５は、導電部１０５が更に奥へ移動することを防ぐ。導電部１０５が規制部３５に接触した状態において、抜止部４２の先端部が、その弾性力により導電部１０５に引っ掛かり、電線１０４の挿入孔７７側への移動が規制される。また、押圧部４３が、その弾性力により導電部１０５を端子板３の端子部３１へ押し付けるため、電線１０４と端子板３との電気接触性が高められる。
【００７６】
以上のようにして作業者は、電線１０４を開閉器１の速結端子２へ接続することができる。
【００７７】
ここで本実施形態では、ガイド孔６１の貫通方向Ｄ１が、錠ばね４に近づくほど固定面７８に近づく方向に固定面７８に対して傾斜している。また、同様に、挿入孔７７の貫通方向も、錠ばね４に近づくほど固定面７８に近づく方向に固定面７８に対して傾斜している。したがって、電線１０４の挿入方向も、固定面７８に対して傾斜することになり、電線の挿入方向が固定面に対して平行方向である特許文献１に記載の開閉器に比べて、電線１０４を速結端子２に向けて容易に挿入することができる。特に、開閉器１が、例えば住戸内の壁面、又は住戸内の壁面に取り付けられる分電盤に設置されている状態においても、電線１０４の挿入方向が固定面７８に対して傾斜していることで、電線１０４を速結端子２に向けて容易に挿入することができる。
【００７８】
また、本実施形態のガイド部材６は、ガイド孔６１の内周面において、貫通方向Ｄ１に沿って視たときに側壁部３２の一表面と対向する平坦な第１ガイド面６２及び第２ガイド面６７を有する。したがって、作業者が、電線１０４の導電部１０５を、ガイド部材６のガイド孔６１に通す際に、導電部１０５の先端部が第１ガイド面６２及び第２ガイド面６７上を滑りながら端子板３の側壁部３２側に寄せられ易くなる。つまり、導電部１０５の先端部が側壁部３２に押し付けられる方向にガイドされるため、電線１０４と端子板３との電気接触性を高めることができる。
【００７９】
更に、本実施形態のガイド部材６は、挿入孔７７側から錠ばね４の抜止部４２を押し付ける押付部６０を備える。したがって、電線１０４を速結端子２に接続する際に、端子板３内で、錠ばね４がｘ軸方向を回転軸として回転することを防止できる。具体的に説明すると、電線１０４が錠ばね４と端子板３の端子部３１との間にある空間に入り込むとき、電線１０４が錠ばね４の抜止部４２をｙ軸方向の逆方向側に押すことになる。そのため、図１で言えば時計回りに回転させようとする力が錠ばね４に加えられることになる。しかし、押付部６０が、挿入孔７７側から錠ばね４の抜止部４２を押し付けるようにして抜止部４２を係り受けているため、端子板３内での錠ばね４の回転を防ぐことができる。要するに、ガイド部材６は、単に電線１０４を速結端子２へガイドするガイド機能だけでなく錠ばね４の回転防止機能も備えている。
【００８０】
なお、電線１０４を速結端子２から抜き取る場合には、作業者は、解除部５の操作部５２を操作すればよい。すなわち、操作部５２を例えばｙ軸方向の一方向側に引くことで、解除部５の接触部５４が回転移動して速結端子２の抜止部４２をｚ軸方向の逆方向側に押すことになる。その結果、抜止部４２が導電部１０５から離れた状態、つまり引っ掛かりが解除された状態となる。この状態で、作業者は、速結端子２から電線１０４を抜き取ることができる。
【００８１】
ところで、一般的に、電線の挿入方向が器体の固定面に対して垂直方向に一致する開閉器もある。このような開閉器は、住戸内の壁面、又は住戸内の壁面に取り付けられる分電盤に設置されている状態において電線の接続作業性に優れているものの、構造上、器体の厚さ寸法（図２で言えばｚ軸方向に対する寸法）が増してしまう。この点において、開閉器１は、電線の接続作業性に優れているだけでなく、器体７の小型化も図ることができる。
【００８２】
（５）通電検査
開閉器１においては、開閉器１に接続された２本の電線１０４間に接続されている電気負荷（例えば太陽光パネル）の通電検査を、２つの検査孔８を通じて行うことができる。本実施形態においては、各端子板３の位置決め部３６の先端にある露出部３７が、対応する検査孔８を通じて器体７の外部に露出されている。したがって、作業者は、通電検査用の測定器の２本の検査棒をそれぞれ２つの検査孔８から器体７内に挿入して、２つの露出部３７にそれぞれ接触させることで、電気負荷の通電検査を行うことができる。
【００８３】
要するに、開閉器１において、端子板３の位置決め部３６は、単にガイド部材６の位置決めを行うだけでなく、電気負荷の配線時において、位置決め部３６を通じて通電検査も行うことができる。
【００８４】
（６）利点
以上説明したように、第１の態様に係る開閉器１は、器体７と、速結端子２と、端子３００と、接点部２００と、ガイド部材６と、を備える。器体７は、電線１０４が挿入される挿入孔７７と、外部の構造体１００に固定される固定面７８とを有する。速結端子２は、端子部３１と、対向部３３と、錠ばね４と、側壁部３２と、を有し、器体７に収納される。対向部３３は、端子部３１の一表面３１ａと対向して配置される。錠ばね４は、端子部３１の一表面３１ａと対向して配置されて電線１０４の挿入孔７７側への移動を規制し電線１０４を端子部３１の一表面３１ａに接触させる。側壁部３２は、端子部３１と対向部３３とを連結して端子部３１及び対向部３３とともに錠ばね４を収納する収納空間を形成する。接点部２００は、器体７内において速結端子２及び端子３００間の電路に設けられ、速結端子２及び端子３００を電気的に接続及び遮断する。ガイド部材６は、電線１０４の挿入方向において挿入孔７７及び錠ばね４間に配置される。ガイド部材６は、一方向に貫通して挿入孔７７から挿入された電線１０４を通すガイド孔６１を有する。ガイド孔６１の上記一方向は、錠ばね４に近づくほど固定面７８に近づく方向に固定面７８に対して傾斜している。
【００８５】
この構成によれば、電線１０４の接続作業時に、電線１０４の挿入方向も固定面７８に対して傾斜することになり、電線の挿入方向が固定面に対して平行方向である特許文献１に記載の開閉器に比べて、電線１０４を速結端子２に対して容易に接続することができる。
【００８６】
また、第２の態様に係る開閉器１は、第１の態様において、錠ばね４は、電線１０４に引掛かかることで移動を規制する抜止部４２を有することが好ましい。この場合、ガイド部材６は、挿入孔７７側から抜止部４２を押し付ける押付部６０を備えることが好ましい。押付部６０は、端子部３１、対向部３３及び側壁部３２とともに収納空間を形成することが好ましい。
【００８７】
この構成によれば、押付部６０が挿入孔７７側から錠ばね４の抜止部４２を押し付けた状態で、錠ばね４が上記収納空間内に収まっているため、電線１０４の接続作業時に、上記収納空間内で錠ばね４が回転することを防ぐことができる。
【００８８】
また、第３の態様に係る開閉器１は、第１又は第２の態様において、ガイド部材６は、ガイド孔６１の内周面の一部に平坦なガイド面（第１ガイド面６２及び第２ガイド面６７）を有することが好ましい。また、ガイド孔６１の上記一方向に沿って視たときに上記ガイド面（第１ガイド面６２及び第２ガイド面６７）が側壁部３２と対向するように配置されていることが好ましい。
【００８９】
この構成によれば、電線１０４の接続作業時に、電線１０４の先端が側壁部３２に押し付けられる方向にガイドされるため、電線１０４と側壁部３２との電気接触性を高めることができる。
【００９０】
また、第４の態様に係る開閉器１は、第１〜第３のいずれかの態様において、端子部３１は、ガイド部材６の周縁部の少なくとも一部と接触して、器体７に対するガイド部材６の位置決めを行う位置決め部３６を備えることが好ましい。
【００９１】
この構成によれば、作業者が開閉器１を組み立てる際に、器体７に対するガイド部材６の位置決めを、位置決め部３６を通じて行うことができる。したがって、組立作業性を向上することができる。
【００９２】
また、第５の態様に係る開閉器１は、第４の態様において、器体７は、通電検査用の検査孔８を有し、位置決め部３６の少なくとも一部は、検査孔８を通じて器体７の外部に露出することが好ましい。
【００９３】
この構成によれば、位置決め部３６は、単にガイド部材６の位置決めを行うだけでなく、検査孔８から露出する位置決め部３６の上記一部を通じて通電検査も行うことができる。したがって、部材点数を減らすことができる。
【００９４】
また、第６の態様に係る開閉器１は、第１〜第５のいずれかの態様において、更に、器体７内に収納されて上記移動の規制を解除する解除機構と、上記移動の規制の解除操作を行うための操作部５２と、を有した解除部５を備えることが好ましい。この場合、器体７は、固定面７８を有するボディ７１と、固定面７８と対向する一面に開口部７２を有するカバー７０とから構成され、操作部５２は、開口部７２を通じて器体７の外部に突出することが好ましい。
【００９５】
この構成によれば、操作部５２が、固定面７８と対向するカバー７０の開口部７２を通じて器体７の外部に突出しているため、作業者は錠ばね４による電線１０４の移動規制を解除する際に操作部５２を操作しやすい。したがって、操作部５２の操作性を向上させることができる。
【００９６】
また、第７の態様に係る開閉器１は、第６の態様において、ボディ７１とカバー７０とは、互いに固定面７８に対して垂直方向に結合するように構成されていることが好ましい。
【００９７】
この構成によれば、器体を構成する２つの部材が固定面７８と平行な方向に結合する開閉器（所謂「横割り」構造の開閉器）と違って中仕切り等の部品を必要とせず、部品点数を少なくすることができる。また、組立時に、ガイド部材６及び速結端子２をボディ７１側に収納した状態で、カバー７０をボディ７１に結合させることができる。したがって、組立性を向上させることができる。
【符号の説明】
【００９８】
１  開閉器
２  速結端子
３１  端子部
３１ａ  一表面
３２  側壁部
３３  対向部
３６  位置決め部
４  錠ばね
４２  抜止部
４３  押付部
５  解除部
５１  本体（解除機構）
５２  操作部
５４  接触部（解除機構）
６  ガイド部材
６１  ガイド孔
６２  第１ガイド面（ガイド面）
６７  第２ガイド面（ガイド面）
７  器体
７０  カバー
７１  ボディ
７２  開口部
７７  挿入孔
７８  固定面
８  検査孔
１００  構造体
１０４  電線
２００  接点部
３００  端子
【図１】
2017224534.tif 000003
【図２】
2017224534.tif 000004
【図３】
2017224534.tif 000005
【図４】
2017224534.tif 000006
【図５】
2017224534.tif 000007